(57)【要約】【課題】部品の共通化を図ると共に、必要に応じて台座に対してカバーを固定するためのカバー固定構造を提供する。【解決手段】  本発明のカバー固定構造５０は、扉２の室外側壁面２ｂに固定される台座１０（１１）と、台座１０（１１）に形成される第１〜第３台座フック部６６Ａ〜６６Ｃに係合する第１〜第３カバーフック部７１Ａ〜７１Ｃを有し、各台座フック部６６Ａ〜６６Ｃを各カバーフック部７１Ａ〜７１Ｃに係合させることで台座１０（１１）に取り付けられるカバー１２（１３）と、台座１０（１１）内に嵌め込まれ、カバーフック部７１Ａ，７１Ｂを台座フック部６６Ａ，６６Ｂに圧接させる固定部材５１と、を備えている。【選択図】図９
2015224525.tif 000002
【特許請求の範囲】
【請求項１】
扉の壁面に固定される台座と、
前記台座に形成される係合部に係合する被係合部を有し、前記係合部を前記被係合部に係合させることで前記台座に取り付けられるカバーと、
前記台座内に嵌め込まれ、前記係合部および前記被係合部のうち一方を他方に圧接させる固定部材と、を備えていることを特徴とするカバー固定構造。
【請求項２】
前記台座は、
前記扉の壁面側の開口から挿入された前記固定部材を収容する嵌合室と、
前記嵌合室と前記カバーの内部とを連通させる連通孔と、を有し、
前記固定部材は、
前記嵌合室内に嵌合する固定部本体と、
前記固定部本体に延設され、前記連通孔を貫通する圧入部と、を有し、
前記係合部および前記被係合部のうち一方は、前記連通孔内に位置し、前記連通孔を貫通した前記圧入部によって前記係合部および前記被係合部のうち他方に圧接されることを特徴とする請求項１に記載のカバー固定構造。
【請求項３】
前記台座は、前記嵌合室内に設けられる規制部を更に有し、
前記固定部材は、前記固定部本体に設けられるストップ部を更に有し、
前記嵌合室に嵌め込まれた前記固定部材の前記ストップ部が前記規制部に当接することで、前記固定部材の嵌合方向の移動が規制されることを特徴とする請求項２に記載のカバー固定構造。
【請求項４】
前記固定部本体は、
板状に形成される固定板部と、
前記固定板部の表裏両面から直交方向に突出する一対の固定壁部と、を有し、
前記一対の固定壁部の少なくとも一方は、前記固定部材の嵌合方向に向かって突出量が小さくなるテーパー状に形成されていることを特徴とする請求項２または３に記載のカバー固定構造。
【請求項５】
前記一方の固定壁部は、前記固定部材の嵌合方向に向かって突出量が小さくなるテーパー状に形成され、
前記他方の固定壁部は、均一な突出量で前記固定板部の外周縁部に形成されていることを特徴とする請求項４に記載のカバー固定構造。
【請求項６】
前記台座および前記カバーは、それぞれ、前記扉の壁面に離間して一対設けられ、
前記一対の台座は、可動グリップの長手方向両端部を支持し、
前記固定部材は、少なくとも一方の前記台座内に嵌め込まれていることを特徴とする請求項１ないし５のいずれかに記載のカバー固定構造。
【請求項７】
前記一対の台座の少なくとも一方は、機械的キーを挿入して施解錠操作を行うシリンダ錠が貫通する支承孔を有し、
前記一対のカバーの少なくとも一方は、前記シリンダ錠の鍵穴を外部に開放する鍵穴開口部を有していることを特徴とする請求項６に記載のカバー固定構造。
【発明の詳細な説明】
【技術分野】
【０００１】
本発明は、扉の壁面に取り付けられるハンドル等に好適に用いられるカバー固定構造に関する。
【背景技術】
【０００２】
従来から、扉に固定したハンドルの台座に設けられたシリンダ錠をカバーで覆い隠すカバー固定構造が知られている。このようなカバー固定構造は、主に電気的に施解錠を行う電気錠に用いられている。
【０００３】
例えば、特許文献１には、ドア体に固定された上下一対のベース部に架設された操作ハンドルと、ベース部の開口部に配設された一対のシリンダ錠と、開口部を閉塞する一対の蓋体と、を備えた錠装置（装置本体）が開示されている。ベース部には、ドア体に内蔵された電気錠の制御回路が収容されている。制御回路は、ユーザが所持する携帯器からの認証用信号を受信して、電気錠の施解錠制御を行う。電気錠が正常動作している場合、シリンダ錠は、蓋体で覆い隠されている。シリンダ錠は、電気錠の故障等の非常時に使用される。ユーザは、蓋体を開放して、シリンダ錠の鍵穴に機械的キーを差し込んで施解錠操作を行う。
【先行技術文献】
【特許文献】
【０００４】
【特許文献１】特開２００８−１３３６６８号公報
【発明の概要】
【発明が解決しようとする課題】
【０００５】
ところで、扉の設置場所や費用削減等の様々な理由によって電気錠を必要としない場合がある。この場合、電気錠に代えて機械式の錠前が採用され、ベース部から制御回路等が削除される。つまり、ベース部にはシリンダ錠のみが設けられる。しかしながら、特許文献１に係る技術では、ベース部にシリンダ錠のみを設けることについて一切考慮されていなかった。
【０００６】
例えば、電気錠を使用しない場合、ユーザの使い勝手を考慮して、シリンダ錠の鍵穴を外部に露出させることが好ましい。しかしながら、鍵穴を露出させるために蓋体を完全に取り外した場合、錠装置（ベース部）の意匠が不自然になるという問題があった。このような問題を解消するためには、例えば、蓋体に鍵穴を露出させるための穴を設けることが考えられる。この場合、蓋体は、ベース部（開口部）に対して取り外し不能に固定されることが好ましい。しかしながら、特許文献１に係る技術では、蓋体が開閉する構造であるため、蓋体をベース部に取り外し不能に固定することが困難であった。
【０００７】
また、特許文献１に係る技術では、２つのシリンダ錠を設けていたが、上下一対のベース部のいずれか一方に１つのシリンダ錠を設ける場合もある。さらに、電気錠のみを採用し、シリンダ錠を全く必要としない場合もある。これらの場合、上下一対のベース部は、コスト削減の観点から、シリンダ錠の有無に関わらず同一部品にすることが好ましい。この場合、シリンダ錠を設けないベース部の蓋体は、取り外し不能に固定されることが好ましい。しかしながら、既に説明したように、特許文献１に係る技術では、蓋体をベース部に固定することが困難であった。
【０００８】
本発明は、部品の共通化を図ると共に、必要に応じて台座に対してカバーを固定するためのカバー固定構造を提供することを目的とする。
【課題を解決するための手段】
【０００９】
上記した目的を達成するため、本発明のカバー固定構造は、扉の壁面に固定される台座と、前記台座に形成される係合部に係合する被係合部を有し、前記係合部を前記被係合部に係合させることで前記台座に取り付けられるカバーと、前記台座内に嵌め込まれ、前記係合部および前記被係合部のうち一方を他方に圧接させる固定部材と、を備えていることを特徴とする。
【００１０】
この構成によれば、カバーを台座に取り付けると、台座の係合部とカバーの被係合部とが係合した状態になる。固定部材は、台座内に嵌め込まれることで、係合部と被係合部とを互いに圧接させる。このため、係合部と被係合部との係合状態が維持され、カバーは、台座に取り外し不能な状態で固定される。一方、固定部材を抜き取ることによって、係合部と被係合部との圧接状態が解除される。このため、係合部と被係合部との係合が解除可能な状態になり、カバーは、台座に取り外し可能（着脱可能）な状態で固定される。以上のように、固定部材を追加または削除するだけで、台座に対するカバーの取り付け状態を変更することができる。これにより、カバーの取り付け状態に応じて台座やカバーに設計変更を加える必要がなくなるため、部品の共通化を図ることができる。
【００１１】
この場合、前記台座は、前記扉の壁面側の開口から挿入された前記固定部材を収容する嵌合室と、前記嵌合室と前記カバーの内部とを連通させる連通孔と、を有し、前記固定部材は、前記嵌合室内に嵌合する固定部本体と、前記固定部本体に延設され、前記連通孔を貫通する圧入部と、を有し、前記係合部および前記被係合部のうち一方は、前記連通孔内に位置し、前記連通孔を貫通した前記圧入部によって前記係合部および前記被係合部のうち他方に圧接されることが好ましい。
【００１２】
この構成によれば、固定部本体は嵌合室内に嵌合し、圧入部は連通孔内で係合部と被係合部とを互いに圧接させる。このため、台座およびカバーに嵌め込まれた固定部材は、容易に抜き取ることを規制される。これにより、カバーを台座に固定した状態を維持することができる。
【００１３】
この場合、前記台座は、前記嵌合室内に設けられる規制部を更に有し、前記固定部材は、前記固定部本体に設けられるストップ部を更に有し、前記嵌合室に嵌め込まれた前記固定部材の前記ストップ部が前記規制部に当接することで、前記固定部材の嵌合方向の移動が規制されることが好ましい。
【００１４】
この構成によれば、固定部材を嵌合室に嵌め込む（挿入する）過程において、固定部材のストップ部は、嵌合室の規制部に突き当たる。これにより、固定部材の嵌合方向（挿入方向）の移動が停止され、作業者は、固定部材の嵌め込み終了を明確に認識することができる。
【００１５】
この場合、前記固定部本体は、板状に形成される固定板部と、前記固定板部の表裏両面から直交方向に突出する一対の固定壁部と、を有し、前記一対の固定壁部の少なくとも一方は、前記固定部材の嵌合方向に向かって突出量が小さくなるテーパー状に形成されていることが好ましい。
【００１６】
この構成によれば、固定壁部が嵌合方向（挿入方向）に向かって先細りになっているため、固定部材（固定部本体）を嵌合室に円滑に嵌め込むことができる。
【００１７】
この場合、前記一方の固定壁部は、前記固定部材の嵌合方向に向かって突出量が小さくなるテーパー状に形成され、前記他方の固定壁部は、均一な突出量で前記固定板部の外周縁部に形成されていることが好ましい。
【００１８】
この構成によれば、一方の固定壁部が嵌合方向に向かって先細りに形成されているため、固定部材（固定部本体）を嵌合室に円滑に嵌め込むことができる。また、他方の固定壁部が嵌合方向に直線的に形成されているため、他方の固定壁部をガイドにして固定部材（固定部本体）を嵌合室に真っ直ぐ嵌め込むことができる。仮に、固定部材が傾いた状態で嵌合室に挿入された場合でも、他方の固定壁部と嵌合室の内面とが干渉するため、作業者は、誤った組み付けを行ったことを認識することができる。つまり、固定部材の誤挿入を防止することができる。
【００１９】
この場合、前記台座および前記カバーは、それぞれ、前記扉の壁面に離間して一対設けられ、前記一対の台座は、可動グリップの長手方向両端部を支持し、前記固定部材は、少なくとも一方の前記台座内に嵌め込まれていることが好ましい。
【００２０】
また、この場合、前記一対の台座の少なくとも一方は、機械的キーを挿入して施解錠操作を行うシリンダ錠が貫通する支承孔を有し、前記一対のカバーの少なくとも一方は、前記シリンダ錠の鍵穴を外部に開放する鍵穴開口部を有していることが好ましい。
【００２１】
これらの構成によれば、例えば、一方のカバーを取り外し不能に固定し、他方のカバーを取り外し可能に固定することができる。
【発明の効果】
【００２２】
本発明のカバー固定構造によれば、部品の共通化を図ることができると共に、必要に応じて台座に対してカバーを固定することができる。
【図面の簡単な説明】
【００２３】
【図１】本発明の一実施形態に係るカバー固定構造を備える錠装置の概略を示す正面図である。
【図２】本発明の一実施形態に係るカバー固定構造を備える錠装置を示す側断面図である。
【図３】本発明の一実施形態に係るカバー固定構造を備える室外側ハンドルを示す正面図である。
【図４】本発明の一実施形態に係るカバー固定構造の室外上側台座を示す背面図である。
【図５】本発明の一実施形態に係るカバー固定構造の室外上側カバーを示す背面図である。
【図６】本発明の一実施形態に係るカバー固定構造の室外上側台座および室外上側カバーを示す側断面図である。
【図７】本発明の一実施形態に係るカバー固定構造の固定部材を示し、（Ａ）は一方から見た側面図であり、（Ｂ）は他方から見た側面図であり、（Ｃ）は平面図である。
【図８】本発明の一実施形態に係るカバー固定構造を示す側断面図である。
【図９】図８におけるＩＸ−ＩＸ断面図である。
【図１０】本発明の一実施形態に係るカバー固定構造の固定部材の不適切な嵌め込みを説明する断面図である。
【図１１】本発明の一実施形態の変形例に係るカバー固定構造の固定部材を示す平面図である。
【図１２】本発明の一実施形態の変形例に係るカバー固定構造を示す断面図である。
【発明を実施するための形態】
【００２４】
以下、本発明の実施の形態について、添付した図面を参照しながら説明する。
【００２５】
図１ないし図３を参照して、一実施形態に係るカバー固定構造５０を備える錠装置１について説明する。図１は錠装置１の概略を示す正面図である。図２は錠装置１を示す側断面図である。図３は室外側ハンドル３を示す正面図である。なお、説明の便宜のため、図２において、室外側である左側を正面とし、室内側である右側を背面と設定し、各図に示すように各方向を設定する。なお、扉２は外開きであるものとする。
【００２６】
図１および図２に示すように、錠装置１は、室外側ハンドル３と、室内側ハンドル４と、ラッチ錠５と、第１錠箱６と、第２錠箱７と、を備えている。一対のハンドル３，４は、扉２を挟むように扉２の壁面に取り付けられている。ラッチ錠５および２つの錠箱６，７は、扉２の内部に取り付けられている。
【００２７】
図１ないし図３に示すように、室外側ハンドル３は、室外上側台座１０と、室外下側台座１１と、室外上側カバー１２と、室外下側カバー１３と、室外側可動グリップ１４と、を有している。一対の台座１０，１１は、扉２の室外側壁面２ｂに上下方向に離間して固定されている。一対のカバー１２，１３は、一対の台座１０，１１を覆うように設けられている。室外側可動グリップ１４は、一対の台座１０，１１の間に架設されている。
【００２８】
室外上側台座１０は、側面視で（扉２の木口２ａ方向から見て）上方に向かって先細る略三角形状に形成されている。室外上側台座１０の下側には、室外上側凹部１０ａが前面から後方に凹設されている。室外上側凹部１０ａには、室外側ラッチ解除機構１５が設けられている。室外上側台座１０の上部には、室外上側支承孔１０ｂが前後方向に貫通形成されている。
【００２９】
室外下側台座１１は、上記した室外上側台座１０と上下対称を成し、側面視で下方に向かって先細る略三角形状に形成されている。室外下側台座１１の上側には、室外下側凹部１１ａが前面から後方に凹設されている。室外下側凹部１１ａには、室外側回転軸部１６が左右方向に架設されている。室外下側台座１１の下部には、室外下側支承孔１１ｂが前後方向に貫通形成されている。
【００３０】
室外上側カバー１２は、室外上側台座１０の前面に沿うように僅かに湾曲して形成されている。室外上側カバー１２は、室外上側台座１０の前面を覆うように取り付けられる。室外上側カバー１２の上部には、室外上側支承孔１０ｂに連通する上側鍵穴開口部１２ａが前後方向に貫通形成されている。
【００３１】
室外下側カバー１３は、室外上側カバー１２と上下対称に形成されている。室外下側カバー１３は、室外下側台座１１の前面に沿うように僅かに湾曲して形成されている。室外下側カバー１３は、室外下側台座１１の前面を覆うように取り付けられる。室外下側カバー１３の上部には、室外下側支承孔１１ｂに連通する下側鍵穴開口部１３ａが前後方向に貫通形成されている。
【００３２】
室外側可動グリップ１４は、上下一対の台座１０，１１に長手方向両端部を支持されている。室外側可動グリップ１４は、前側に僅かに湾曲して形成され、上下一対の台座１０，１１と一体感のある意匠となっている。室外側可動グリップ１４は、室外側グリップベース１７と、室外側グリップカバー１８と、を有している。
【００３３】
室外側グリップベース１７は、室外上側凹部１０ａと室外下側凹部１１ａとの間に架け渡されている。室外側グリップベース１７の上部には、室外側ラッチ解除機構１５の進退を許容する室外側開口部１７ａが形成されている。室外側グリップベース１７の下部には、室外側回転軸部１６に回転可能に支持される室外側軸受部１７ｂが形成されている。
【００３４】
室外側グリップカバー１８は、室外側グリップベース１７の前面を覆うように取り付けられる。室外側グリップカバー１８は、室外側グリップベース１７の上下両端部に当接して固定ネジＢ１によって固定される。なお、室外側グリップカバー１８と室外側グリップベース１７との間には、空間Ｓが形成される。この空間Ｓには、例えば、電気錠を採用する場合にリーダや制御基板等が設けられる。
【００３５】
室外側可動グリップ１４は、室外側回転軸部１６を中心として前後方向に回動可能に設けられている。詳細には、室外側可動グリップ１４の上部が、室外上側台座１０に対して前後方向に進退（回動）する。
【００３６】
次に、図２に示すように、室内側ハンドル４は、室内上側台座２０と、室内下側台座２１と、室内上側カバー２２と、室内下側カバー２３と、室内側可動グリップ２４と、を有している。室内側ハンドル４は、室内側壁面２ｃに取り付けられ、室外側ハンドル３と前後対称に形成されている。なお、室内側ハンドル４は、室外側ハンドル３と同様の構成を有しているため、簡単に説明する。
【００３７】
室内上側台座２０の上室内側凹部２０ａには、室内側ラッチ解除機構２５が配設されている。室内上側台座２０の上部には、室内上側支承孔２０ｂが貫通形成されている。室内下側台座２１の下室内側凹部２１ａには、室内側回転軸部２６が左右方向に架設されている。室内下側台座２１の下部には、室内下側支承孔２１ｂが貫通形成されている。
【００３８】
室内上側カバー２２の上部には、室内上側支承孔２０ｂに連通する上側サムターン開口部２２ａが貫通形成されている。室内下側カバー２３の下部には、室内下側支承孔２１ｂに連通する下側サムターン開口部２３ａが貫通形成されている。室内側可動グリップ２４は、室内側回転軸部２６を中心として前後方向に回動可能に設けられている。
【００３９】
なお、室外側の台座１０，１１は、室内側の台座２０，２１との間に扉２を挟み込むように複数の固定ネジＢ２によって固定されている。また、各グリップ１４，２４は、上側の台座１０，２０側を中心に回動するように構成されてもよいし、上下一対の台座１０，１１，２０，２１に対して略水平に進退するように構成されてもよい。
【００４０】
図２に示すように、室外側ラッチ解除機構１５は、バー回転軸１５ａと、捩りコイルバネ１５ｂと、ラッチバー１５ｃと、を含んで構成されている。捩りコイルバネ１５ｂは、バー回転軸１５ａに巻回されている。ラッチバー１５ｃは、捩りコイルバネ１５ｂによって後方（室内側）に付勢されている。ラッチバー１５ｃの一部は、扉２の内部に延出している。ラッチバー１５ｃは、室外側可動グリップ１４の進退に連動して、バー回転軸１５ａを中心として前後方向に回動（進退）する。なお、室内側ラッチ解除機構２５は、室外側ラッチ解除機構１５と同様の構成であるため、その説明を省略する。
【００４１】
図１に示すように、ラッチ錠５は、公知のものであって、扉２の木口２ａに対して進退可能なラッチボルト５ａを有している。ラッチボルト５ａは、木口２ａから突出して扉枠４０のストライク４１に進入し、扉２を仮閉り状態にする。
【００４２】
例えば、室外から扉２を開放するには、ユーザは、室外側可動グリップ１４を把持して手前に引っ張る。室外側可動グリップ１４は室外側回転軸部１６を中心に前方に回動し、ラッチバー１５ｃはバー回転軸１５ａを中心に下方に回動する。ラッチバー１５ｃの回動によってラッチ錠５が作動して、ラッチボルト５ａが木口２ａから退避可能となる。なお、説明は省略するが、室内側可動グリップ２４を押圧操作した場合も同様である。
【００４３】
２つの錠箱６，７は、それぞれ、公知の機械式の錠前であって、扉２の木口２ａに対して進退するデッドボルト６ａ，７ａを有している。
【００４４】
図２に示すように、第１錠箱６は、室外上側台座１０と室内上側台座２０との間に挟まれるように扉２に内設されている。第１錠箱６の室外側には、機械的キー（図示せず）を挿入して施解錠操作を行うシリンダ錠３１が取り付けられている。シリンダ錠３１は、室外上側台座１０の室外上側支承孔１０ｂを貫通している。シリンダ錠３１の鍵穴３１ａは、室外上側カバー１２の上側鍵穴開口部１２ａから外部（前方）に開放されている（図３参照）。一方、第１錠箱６の室内側には、手動で第１デッドボルト６ａを進退操作するためのサムターン３２が取り付けられている。サムターン３２は、室内上側台座２０の室内上側支承孔２０ｂを貫通し、室内上側カバー２２の上側サムターン開口部２２ａから後方に露出している。
【００４５】
第２錠箱７は、室外下側台座１１と室内下側台座２１との間に挟まれるように扉２に内設されている。第２錠箱７には、シリンダ錠３３およびサムターン３４が取り付けられている。シリンダ錠３３は、室外下側支承孔１１ｂを貫通し、鍵穴３３ａを下側鍵穴開口部１３ａから前方に開放している（図３参照）。サムターン３４は、室内下側支承孔２１ｂを貫通し、下側サムターン開口部２３ａから後方に露出している。
【００４６】
ところで、機械式の錠前としての錠箱６，７に代えて、電気的にデッドボルトを進退駆動する電気錠を採用したい場合がある。電気錠を使用する場合、正常時にはシリンダ錠３１，３３を使用しないため、シリンダ錠３１，３３は、鍵穴開口部１２ａ，１３ａの無いカバーで覆い隠されていることが好ましい。このカバーは、電気錠の故障等の非常時にシリンダ錠３１，３３を使用できるように、取り外し可能な状態で台座１０，１１に固定されることが好ましい。これに対し、機械式の錠箱６，７を使用する場合や、電気錠のみを採用し、シリンダ錠３１，３３を全く必要としない場合等、室外上側カバー１２および室外下側カバー１３は、悪戯防止や紛失防止のために、取り外し不能な状態で台座１０，１１に固定されることが好ましい。
【００４７】
錠前（電気錠、機械式の錠箱６，７）の選択に応じて各ハンドル３，４を構成する部品を変更する場合、製造コストが増大するという問題がある。したがって、設計変更を省略し、製造コストを低減するために、各ハンドル３，４は、共通の部品を使用することが好ましい。そこで、以上説明した錠装置１は、各台座１０，１１（２０，２１）に各カバー１２，１３（２２，２３）を取り外し不能に固定するためのカバー固定構造５０を備えている。
【００４８】
図２、図４ないし図７を参照して、本実施形態に係るカバー固定構造５０について説明する。図４は室外上側台座１０を示す背面図である。図５は室外上側カバー１２を示す背面図である。図６は室外上側台座１０および室外上側カバー１２を示す側断面図である。図７（Ａ）は一方から見た側面図であり、図７（Ｂ）は他方から見た側面図であり、図７（Ｃ）は平面図である。なお、カバー固定構造５０は、室外側ハンドル３および室内側ハンドル４に設けられているが、それぞれ同様の構造であるため、以下、室外側ハンドル３側のカバー固定構造５０についてのみ説明する。また、カバー固定構造５０は、室外側ハンドル３の上下一対の台座１０，１１と上下一対のカバー１２，１３とに設けられているが、それぞれ同様の構造であるため、以下、上側のカバー固定構造５０についてのみ説明する。
【００４９】
図２に示すように、カバー固定構造５０は、室外上側台座１０と、室外上側カバー１２と、２つの固定部材５１と、を備えている。既に説明したように、室外上側台座１０は室外側壁面２ｂに固定され、室外上側カバー１２は室外上側台座１０に取り付けられている。各固定部材５１は、室外上側台座１０内に嵌め込まれている。
【００５０】
図４および図６に示すように、室外上側台座１０は、ハンドル台座部６０と、カバー台座部６１と、を有している。ハンドル台座部６０は、上記した室外上側凹部１０ａが形成されている。カバー台座部６１は、ハンドル台座部６０の上側に一体に形成されている。
【００５１】
カバー台座部６１は、前壁６１ａと、左右一対の側壁６１ｂ，６１ｃと、上側壁６１ｄと、を有し、後面を開放した略箱状に形成されている。カバー台座部６１の中空内部には、格子状のリブ６２が設けられている。前壁６１ａは、後側に凹むように僅かに湾曲している。前壁６１ａの上部には、上記した室外上側支承孔１０ｂが形成されている。
【００５２】
カバー台座部６１は、ブロック部６３と、３つの嵌合室６４Ａ〜６４Ｃと、３つの連通孔６５Ａ〜６５Ｃと、３つの台座フック部６６Ａ〜６６Ｃと、を有している。
【００５３】
ブロック部６３は、ハンドル台座部６０と室外上側支承孔１０ｂとの間において前壁６１ａと一体に形成されている。ブロック部６３は、前壁６１ａから前方に突き出した矩形ブロック状に形成されている。ブロック部６３の上部には、矩形状の貫通孔６３ａが形成されている。ブロック部６３の下部には、矩形ブロック状の位置決め突起部６３ｂが突設されている。
【００５４】
３つの嵌合室６４Ａ〜６４Ｃは、カバー台座部６１の内部空間の一部によって構成されている。第１嵌合室６４Ａおよび第２嵌合室６４Ｂは、カバー台座部６１の下部の左右両側に配置されている。第３嵌合室６４Ｃは、カバー台座部６１の上部の左右方向中央に配置されている。詳細には、第１嵌合室６４Ａは、左側壁６１ｂとリブ６２とで囲まれて形成されている。第２嵌合室６４Ｂは、右側壁６１ｃとリブ６２とで囲まれて形成されている。第３嵌合室６４Ｃは、上側壁６１ｄと室外上側支承孔１０ｂの周壁とで囲まれて形成されている。各嵌合室６４Ａ〜６４Ｃは、後端面に開口６７Ａ〜６７Ｃを有する略直方体状の空間として形成されている。
【００５５】
３つの連通孔６５Ａ〜６５Ｃは、それぞれ、各嵌合室６４Ａ〜６４Ｃに連通するように前壁６１ａに貫通形成されている。詳細には、第１連通孔６５Ａおよび第２連通孔６５Ｂは、ブロック部６３の左右両側面に沿って開口し、それぞれ、第１嵌合室６４Ａおよび第２嵌合室６４Ｂに連通している。第１連通孔６５Ａおよび第２連通孔６５Ｂは、上下方向に長い矩形状に形成されている。第３連通孔６５Ｃは、室外上側支承孔１０ｂの上側に開口し、第３嵌合室６４Ｃに連通している。第３連通孔６５Ｃは、左右方向に長い矩形状に形成されている。なお、第３連通孔６５Ｃの大きさは、第１連通孔６５Ａ等と略同一である。
【００５６】
係合部としての３つの台座フック部６６Ａ〜６６Ｃは、左右一対の側壁６１ｂ，６１ｃの下部と、上側壁６１ｄと、に形成されている。詳細には、第１台座フック部６６Ａは、左側壁６１ｂの内面に突設され、第１連通孔６５Ａ内に位置している。第２台座フック部６６Ｂは、右側壁６１ｃの内面に突設され、第２連通孔６５Ｂ内に位置している。第３台座フック部６６Ｃは、上側壁６１ｄの内面に突設され、第３連通孔６５Ｃ内に位置している。
【００５７】
また、第１嵌合室６４Ａと第２嵌合室６４Ｂとの内部には、それぞれ、規制部６８Ａ，６８Ｂが設けられている。各規制部６８Ａ，６８Ｂは、各連通孔６５Ａ，６５Ｂの内側面として露出するブロック部６３の左右両側壁の後端面によって構成されている。
【００５８】
図５および図６に示すように、室外上側カバー１２は、前壁７０ａと、左右一対の側壁７０ｂ，７０ｃと、上側壁７０ｄと、を有し、後面を開放した略トレイ状に形成されている。前壁７０ａは、後側に凹むように僅かに湾曲している。前壁７０ａの上部には、上記した上側鍵穴開口部１２ａが形成されている。前壁７０ａの下部には、矩形状の位置決め凹部７０ｅが凹設されている。
【００５９】
室外上側カバー１２は、被係合部としての３つのカバーフック部７１Ａ〜７１Ｃを有している。３つのカバーフック部７１Ａ〜７１Ｃは、左右一対の側壁７０ｂ，７０ｃの下部と、上側壁７０ｄの左右方向中央と、に形成されている。詳細には、第１カバーフック部７１Ａは、左側壁７０ｂの内面から後方に延設されている。第２カバーフック部７１Ｂは、右側壁７０ｃの内面から後方に延設されている。第３カバーフック部７１Ｃは、上側壁７０ｄの内面から後方に延設されている。
【００６０】
第１カバーフック部７１Ａおよび第２カバーフック部７１Ｂは、弾性力をもって左右方向に変形可能な板状に形成されている。第１カバーフック部７１Ａと第２カバーフック部７１Ｂとの先端部（後端部）には、互いに外側に突出する第１係止部７２Ａと第２係止部７２Ｂとが形成されている。第３カバーフック部７１Ｃは、弾性力をもって上下方向に変形可能な板状に形成されている。第３カバーフック部７１Ｃの先端部には、上側に突出する第３係止部７２Ｃが形成されている。なお、各係止部７２Ａ〜７２Ｃの先端部は、テーパー状に形成されている。
【００６１】
次に、図７を参照して、２つの固定部材５１について説明する。なお、２つの固定部材５１は同一の形状であるため、以下、１つの固定部材５１について説明する。
【００６２】
固定部材５１は、固定部本体８０と、ストップ部８１と、圧入部８２と、を有している。固定部材５１は、例えば、樹脂材料によって一体形成されている。固定部本体８０は、各嵌合室６４Ａ，６４Ｂの内部に嵌合可能に形成され、圧入部８２は、各連通孔６５Ａ，６５Ｂを貫通可能に形成されている。ストップ部８１は、規制部６８Ａ，６８Ｂに当接する。
【００６３】
固定部本体８０は、固定板部８３と、一対の固定壁部８４，８５と、を有している。
【００６４】
固定板部８３は、側面視で略矩形板状に形成されている（図７（Ａ）等参照）。固定板部８３は、第１嵌合室６４Ａ等の高さと略同一の高さに形成されている。固定板部８３の後部には、厚み方向に貫通する矩形孔８３ａが形成されている。固定板部８３の他方の側面略全域（矩形孔８３ａを除く）には、固定凹部８３ｂが凹設されている（図７（Ｂ），（Ｃ）参照）。
【００６５】
一対の固定壁部８４，８５は、固定板部８３の表裏両面から直交方向に突出している。一対の固定壁部８４，８５を含む固定部本体８０の左右幅（最大値）は、第１嵌合室６４Ａ等の左右幅と略同一になるように形成されている（図７（Ｃ）等参照）。
【００６６】
図７（Ａ），（Ｃ）に示すように、一方の固定壁部８４は、直線壁部８４ａと、Ｕ字壁部８４ｂと、を有している。直線壁部８４ａは、固定板部８３の上下方向中央に配置されて前後方向に延びている。直線壁部８４ａの前端部は、後述する圧入部８２まで延出している。Ｕ字壁部８４ｂは、直線壁部８４ａの後端部で上方と下方とに分岐している。また、Ｕ字壁部８４ｂは、分岐した上端部と下端部とから固定板部８３の後端部まで水平に延びている。つまり、Ｕ字壁部８４ｂは、側面視で略Ｕ字状に形成されている。直線壁部８４ａとＵ字壁部８４ｂの前部との外端面は、前方（固定部材５１の嵌合方向）に向かって内側に傾斜している。すなわち、一方の固定壁部８４は、全体として、前方に向かって突出量が小さくなるテーパー状に形成されている。
【００６７】
図７（Ｂ），（Ｃ）に示すように、他方の固定壁部８５は、均一な突出量で固定板部８３の外周縁部に形成されている。詳細には、他方の固定壁部８５は、固定板部８３の上下両縁部と後側縁部とに形成されている。つまり、他方の固定壁部８５は、側面視で略Ｕ字状に形成されている。なお、他方の固定壁部８５は、少なくとも固定板部８３の後側縁部に形成されていればよい。
【００６８】
ストップ部８１は、一方の固定壁部８４の直線壁部８４ａの前端面によって構成されている（図７（Ａ），（Ｃ）等参照）。
【００６９】
図７に示すように、圧入部８２は、固定部本体８０の前端部から前方に延設されている。圧入部８２は、固定板部８３の厚みと同一の厚みに形成され、固定板部８３の高さよりも僅かに小さな高さに形成されている。圧入部８２は、上下一対の固定フック部８６と、圧入片８７と、を有している。
【００７０】
上下一対の固定フック部８６は、弾性力をもって上下方向に変形可能に形成されている。上側の固定フック部８６の前端部には、上側に突出する部材係止部８６ａが形成されている。下側の固定フック部８６の前端部には、下側に突出する部材係止部８６ａが形成されている。
【００７１】
圧入片８７は、側面視で略矩形状に形成されている。圧入片８７は、上下一対の固定フック部８６の間に設けられている。圧入片８７と上下一対の固定フック部８６との間には、２本のスリット８８が形成されている。圧入片８７の前端部は、各固定フック部８６の前端部よりも後方に位置している。圧入片８７の前部には、一方の側面から円形凹部８７ａが凹設されている。
【００７２】
次に、図６、図８および図９等を参照して、カバー固定構造５０の作用について説明する。図８はカバー固定構造５０を示す側断面図である。図９は、図８におけるＩＸ−ＩＸ断面図である。なお、説明を簡単にするため、室外側ハンドル３の室外上側台座１０に室外上側カバー１２を固定する場合について説明する。なお、室外上側カバー１２の固定作業は、室外側ハンドル３を扉２に取り付ける前に行われる。
【００７３】
まず、図６に示すように、作業者は、室外上側カバー１２を室外上側台座１０に位置合せし、各カバーフック部７１Ａ〜７１Ｃを各連通孔６５Ａ〜６５Ｃに進入させつつ室外上側カバー１２を室外上側台座１０に向けて押し込む。
【００７４】
室外上側カバー１２の押し込みが進むと、第１カバーフック部７１Ａは、第１連通孔６５Ａ内の第１台座フック部６６Ａに当接し、右側に撓曲する。同様に、第２カバーフック部７１Ｂは、第２連通孔６５Ｂ内の第２台座フック部６６Ｂに当接し、左側に撓曲する。同様に、第３カバーフック部７１Ｃは、第３連通孔６５Ｃ内の第３台座フック部６６Ｃに当接し、下側に向けて撓曲する。
【００７５】
各係止部７２Ａ〜７２Ｃが各台座フック部６６Ａ〜６６Ｃを乗り越えると、第１カバーフック部７１Ａと第２カバーフック部７１Ｂとは、自身の弾性力（復元力）によって互いに外側に変位する。これにより、第１係止部７２Ａは第１台座フック部６６Ａに係合し、第２係止部７２Ｂは第２台座フック部６６Ｂに係合する（図９参照）。同様に、第３カバーフック部７１Ｃは自身の弾性力によって上方に変位して、第３係止部７２Ｃは第３台座フック部６６Ｃに係合する（図２参照）。また、このとき、位置決め突起部６３ｂは、位置決め凹部７０ｅに嵌合する（図９参照）。
【００７６】
以上のように、室外上側カバー１２は、各台座フック部６６Ａ〜６６Ｃを各カバーフック部７１Ａ〜７１Ｃに係合させることで室外上側台座１０に取り付けられる。このとき、室外上側カバー１２は、室外上側台座１０に着脱可能に固定されている。なお、各連通孔６５Ａ〜６５Ｃは、各嵌合室６４Ａ〜６４Ｃと室外上側カバー１２の内部とを連通させている。
【００７７】
次に、室外上側台座１０に対して室外上側カバー１２を取り外し不能な状態で固定するために、２つの固定部材５１の嵌合作業を行う。図９に示すように、２つの固定部材５１を第１嵌合室６４Ａと第２嵌合室６４Ｂとに嵌め込むことで、室外上側カバー１２が、室外上側台座１０に固定される。なお、説明を簡単にするため、第１嵌合室６４Ａに対する固定部材５１の嵌合作業について説明する。
【００７８】
図８および図９に示すように、作業者は、第１嵌合室６４Ａの開口６７Ａから前方に向けて固定部材５１を進入させる。この際、固定部材５１は、一方の固定壁部８４を中央側に向けた姿勢で、圧入部８２を先頭にして第１嵌合室６４Ａに挿入される。固定部材５１を第１嵌合室６４Ａに進入させると、固定板部８３の上下両端面は、第１嵌合室６４Ａの天面と床面とを摺接する。一方の固定壁部８４（主にＵ字壁部８４ｂ）は、第１嵌合室６４Ａの右内面に摺接する。他方の固定壁部８５は、第１嵌合室６４Ａの左内面に摺接する。
【００７９】
固定部材５１の押し込みが進むと、圧入部８２の左右両側面は、ブロック部６３の側面と第１カバーフック部７１Ａとの間に圧入されて行く（図９参照）。また、圧入部８２の上下一対の固定フック部８６の先端部は、第１連通孔６５Ａの周縁部に当接する。更に固定部材５１の押し込みが進むと、上側の固定フック部８６は下方に撓曲し、下側の固定フック部８６は上方に撓曲する。
【００８０】
各部材係止部８６ａが第１連通孔６５Ａを貫通すると、上下一対の固定フック部８６は、自身の弾性力（復元力）によって元の位置に戻る。これにより、下側の固定フック部８６の部材係止部８６ａは、第１連通孔６５Ａの前面縁部に係合する（図８参照）。なお、前壁７０ａが傾斜しているため、上側の固定フック部８６の部材係止部８６ａは、第１連通孔６５Ａの前面縁部よりも前方に位置している。
【００８１】
このとき、圧入部８２（圧入片８７）は、ブロック部６３の側面と第１カバーフック部７１Ａとの間に圧入された状態で第１連通孔６５Ａを貫通している。また、このとき、固定部材５１のストップ部８１が、規制部６８Ａに突き当たる（図９参照）。第１嵌合室６４Ａに嵌め込まれたストップ部８１が規制部６８Ａに当接することで、固定部材５１の嵌合方向の移動が規制される。これにより、固定部材５１の嵌合方向（挿入方向）の移動が停止され、作業者は、固定部材５１の嵌め込み終了を明確に認識することができる。
【００８２】
以上によって、第１連通孔６５Ａ内に配置された第１カバーフック部７１Ａは、第１連通孔６５Ａを貫通した圧入部８２によって第１台座フック部６６Ａに圧接される。なお、詳細な説明は省略するが、上記の固定部材５１の姿勢とは左右反転させた姿勢とすることで、第２嵌合室６４Ｂに固定部材５１が嵌め込まれる。
【００８３】
以上説明した本実施形態に係るカバー固定構造５０によれば、室外上側カバー１２を室外上側台座１０に取り付けると、各台座フック部６６Ａ〜６６Ｃと、各カバーフック部７１Ａ〜７１Ｃとが係合した状態になる。２つの固定部材５１は、室外上側台座１０および室外上側カバー１２に嵌め込まれることで、各台座フック部６６Ａ，６６Ｂと、各カバーフック部７１Ａ，７１Ｂと、を互いに圧接させる。このため、各台座フック部６６Ａ，６６Ｂと各カバーフック部７１Ａ，７１Ｂとの係合状態が維持され、室外上側カバー１２は、室外上側台座１０に取り外し（着脱）不能な状態で固定される。
【００８４】
一方、固定部材５１を抜き取ることによって、各台座フック部６６Ａ，６６Ｂと各カバーフック部７１Ａ，７１Ｂとの圧接状態が解除される。このため、各台座フック部６６Ａ，６６Ｂと各カバーフック部７１Ａ，７１Ｂとの係合が解除可能な状態になり、室外上側カバー１２は、室外上側台座１０に着脱可能に固定される。以上のように、固定部材５１を追加または削除するだけで、室外上側台座１０に対する室外上側カバー１２の取り付け状態を変更することができる。これにより、室外上側カバー１２の取り付け状態に応じて室外上側台座１０や室外上側カバー１２に設計変更を加える必要がなくなるため、部品の共通化を図ることができる。
【００８５】
また、本実施形態に係るカバー固定構造５０によれば、各嵌合室６４Ａ，６４Ｂは、扉２の室外側壁面２ｂ側の開口６７Ａ，６７Ｂから挿入された固定部材５１を収容する。固定部本体８０は各嵌合室６４Ａ，６４Ｂ内に嵌合し、圧入部８２は各連通孔６５Ａ，６５Ｂ内で各台座フック部６６Ａ，６６Ｂと各カバーフック部７１Ａ，７１Ｂとを互いに圧接させる。このため、室外上側台座１０および室外上側カバー１２に嵌め込まれた固定部材５１は、容易に抜き取ることを規制される。これにより、室外上側カバー１２を室外上側台座１０に固定した状態を維持することができる。
【００８６】
また、本実施形態に係るカバー固定構造５０によれば、一方の固定壁部８４が嵌合方向に向かって先細りに形成されているため、固定部材５１（固定部本体８０）を各嵌合室６４Ａ，６４Ｂに円滑に嵌め込むことができる。また、他方の固定壁部８５が嵌合方向に直線的に形成されているため、他方の固定壁部８５をガイドにして固定部材５１（固定部本体８０）を各嵌合室６４Ａ，６４Ｂに真っ直ぐ嵌め込むことができる。
【００８７】
仮に、図１０に示すように、固定部材５１が傾いた状態で各嵌合室６４Ａ，６４Ｂに挿入された場合（左側参照）や固定部材５１の嵌め込み向き（姿勢）を間違えた場合（右側参照）、他方の固定壁部８５と各嵌合室６４Ａ，６４Ｂの内面とが干渉する（接触点Ｐ１，Ｐ２参照）。このため、作業者は、誤った組み付けを行ったことを認識することができる。つまり、固定部材５１の誤挿入を防止することができる。
【００８８】
なお、室外下側台座１１に室外下側カバー１３を取り付ける場合や室内側ハンドル４の各カバー２２，２３を取り付ける場合も、上記と同様の手順で実行され、上記と同様の作用効果を得ることができる。
【００８９】
なお、本実施形態に係るカバー固定構造５０の固定部材５１は、他方の固定壁部８５を嵌合方向に直線的に形成していたが、本発明はこれに限定されない。例えば、他の固定部材９０として、図１１に示すように、他方の固定壁部９１を、一方の固定壁部８４と同様に、嵌合方向に向かって突出量が小さくなるテーパー状に形成してもよい。この構成によれば、一対の固定壁部８４，９１が嵌合方向（前方）に向かって先細りになっているため、固定部材９０（固定部本体８０）を各嵌合室６４Ａ，６４Ｂに円滑に嵌め込むことができる。
【００９０】
なお、本実施形態に係るカバー固定構造５０は、各ハンドル３，４の上下一対のカバー１２，１３，２２，２３に採用したが、本発明はこれに限定されない。固定部材５１は、上下一対の台座１０，１１（台座２０，２１）のうち少なくとも一方に嵌め込まれていればよい。例えば、第１錠箱６を電気錠に変更し、第２錠箱７を省略する場合、室外上側台座１０にのみシリンダ錠３１を設けることとなる。この場合、室外上側カバー１２は、固定部材５１の嵌め込みを省略して、室外上側台座１０に取り外し可能な状態で固定される。一方、室外下側カバー１３は、固定部材５１を嵌め込んで、室外下側台座１１に取り外し不能な状態で固定される。なお、下側鍵穴開口部１３ａを塞いだ室外下側カバー１３を用いることが好ましい。
【００９１】
なお、本実施形態に係るカバー固定構造５０は、固定部材５１（９０）を２つ設けたが、本発明はこれに限定されない。固定部材５１（９０）は、１つ以上設けられていればよく、例えば、第３嵌合室６４Ｃ（第３連通孔６５Ｃ）に設けられていてもよい。
【００９２】
なお、本実施形態に係るカバー固定構造５０では、各カバーフック部７１Ａ，７１Ｂが各連通孔６５Ａ，６５Ｂ内に位置していたが、本発明はこれに限定されない。例えば、図１２に示すように、第１台座フック部６６Ａが、第１連通孔６５Ａ内に位置し、第１連通孔６５Ａを貫通した圧入部８２によって第１カバーフック部７１Ａに圧接されてもよい。つまり、固定部材５１（９０）は、各台座フック部６６Ａ〜６６Ｃおよび各カバーフック部７１Ａ〜７１Ｃのうち一方を他方に圧接させればよい。なお、この場合、第１カバーフック部７１Ａは、圧入部８２の先端部を挿入するための挿通孔１００Ａを構成することが好ましい。これにより、第１台座フック部６６Ａと第１カバーフック部７１Ａとの係合状態を維持することができる。
【００９３】
なお、本実施形態の説明では、一例として、グリップタイプのプッシュプルハンドルにカバー固定構造５０を適用した場合を示したが、これに限定されるものではなく、例えば、レバー付きの固定ハンドルや所謂面付きタイプのプッシュプルハンドル等に適用してもよい。
【００９４】
なお、上記した本実施形態の説明は、本発明に係るカバー固定構造における好適な実施の形態を示しているため、技術的に好ましい種々の限定を付している場合もあるが、本発明の技術範囲は、特に本発明を限定する記載がない限り、これらの態様に限定されるものではない。さらに、上記した本発明の実施形態における構成要素は適宜、既存の構成要素等との置き換えが可能であり、かつ、他の既存の構成要素との組合せを含む様々なバリエーションが可能であり、上記した本発明の実施形態の記載をもって、特許請求の範囲に記載された発明の内容を限定するものではない。
【符号の説明】
【００９５】
２  扉
２ｂ  室外側壁面
１０  室外上側台座（台座）
１１  室外下側台座（台座）
１２  室外上側カバー（カバー）
１２ａ  上側鍵穴開口部
１３  室外下側カバー（カバー）
１３ａ  下側鍵穴開口部
１４  室外側可動グリップ
３１，３３  シリンダ錠
３１ａ，３３ａ  鍵穴
５０  カバー固定構造
５１，９０  固定部材
６４Ａ〜６４Ｃ  第１〜第３嵌合室
６５Ａ〜６５Ｃ  第１〜第３連通孔
６６Ａ〜６６Ｃ  第１〜第３台座フック部（係合部）
６７Ａ〜６７Ｃ  開口
６８Ａ，６８Ｂ  規制部
７１Ａ〜７１Ｃ  第１〜第３カバーフック部（被係合部）
８０  固定部本体
８１  ストップ部
８２  圧入部
８３  固定板部
８４，８５，９１  固定壁部
【図１】
2015224525.tif 000003
【図２】
2015224525.tif 000004
【図３】
2015224525.tif 000005
【図４】
2015224525.tif 000006
【図５】
2015224525.tif 000007
【図６】
2015224525.tif 000008
【図７】
2015224525.tif 000009
【図８】
2015224525.tif 000010
【図９】
2015224525.tif 000011
【図１０】
2015224525.tif 000012
【図１１】
2015224525.tif 000013
【図１２】
2015224525.tif 000014